(57)【要約】      （修正有）【課題】力強い風の流れを利用し、昆虫のハウス外への排出と捕獲が確実かつ短時間に図れる、ハウス用昆虫誘引兼送出装置を提供する。【解決手段】ハウスＡの両妻面に、シャッタＢ１、Ｂ２とシャッタ付き換気扇Ｂ３とを設け、ハウス内の棟方向に向かって循環扇１を複数基配備し、中の少なくとも一基の循環扇に照明器具を取付け、複数基の他の循環扇により、ハウスの一方側Ａ１の妻面から他方側Ａ２の妻面に流れる順風Ｃ１を形成し、順風による力強い風の流れを利用し、昆虫のハウス外への排出・捕獲を行う。【選択図】図１
0003201530.tif 000002
【実用新案登録請求の範囲】
【請求項１】
ハウスの両妻面にシャッタと、シャッタ付き換気扇とを設けるとともに、このハウス内の棟方向に向かって複数基の循環扇を配備し、その中の少なくとも一基の循環扇に照明器具を取付けるとともに、この複数基の循環扇により、前記ハウスの一方側の妻面から、他方側の妻面に流れる順風を形成し、この順風で、前記照明器具で補虫した昆虫を、前記ハウス外に誘引可能とする構成としたハウスの昆虫の誘引兼送出し装置。
【請求項２】
他方側の前記妻面が、前記シャッタ付き換気扇を設けた側の妻面であり、一方側の前記妻面が、前記シャッタを設けた側の妻面である構成とした請求項１に記載のハウスの昆虫の誘引兼送出し装置。
【請求項３】
前記照明器具は、前記循環扇に設けた環体と、この環体に設けた照明とでなる構成とした請求項１に記載のハウスの昆虫の誘引兼送出し装置。
【請求項４】
前記照明器具は、前記循環扇に設けた環状の照明でなる構成とした請求項１に記載のハウスの昆虫の誘引兼送出し装置。
【請求項５】
前記照明は、前記循環扇の風胴の外周か、又は外周の放射方向の外側に設ける構成とした請求項３、又は請求項４に記載のハウスの昆虫の誘引兼送出し装置。
【請求項６】
前記循環扇は、筒状の風胴と、この風胴内に設けたファンと、ファン用のモータと、整流翼とで構成された請求項１に記載のハウスの昆虫の誘引兼送出し装置。
【請求項７】
前記循環扇は、前記ハウスの屋根の合掌部位に、順列する構成とした請求項１に記載のハウスの昆虫の誘引兼送出し装置。
【考案の詳細な説明】
【技術分野】
【０００１】
本考案は、ハウスの昆虫の誘引兼送出し装置であり、照明器具により、昆虫を誘引し、循環扇（送風機）の送風（風量と風力）を制御、及び／又は、調整し、少なくとも、一基の循環扇に昆虫（害虫、有益な昆虫、即ち、益虫等を含む）を誘引、かつ補虫した後、ハウス外に排出（送出し）、及び／又は、補虫（益虫をハウス外で補虫）するハウスの昆虫の誘引兼送出し装置に関する。
【背景技術】
【０００２】
従来、ハウスにおける昆虫の捕獲（補虫）手段は、ファンと、網体、照明手段、及び必要により、フェロモン等の薬剤、或いは補虫袋等の組合せで、ハウス内外の適所に、固定的に設置するか、又は建柱のファンと、圃場に設けた補虫ケースとの組合せで、圃場の適所に、固定的に設置するかが、一般的である。関連する発明として、次の文献が挙げられる。特開２００９−１９５２０８号公報（文献１）とか、特開２００７−２２８８９２号公報（文献２）とかがある。これらの発明は、固定式であって、昆虫を、積極的に、ハウス外に誘引とか、逃避を促す構造でない。
【０００３】
また、虫の特性と光とを利用して、前述のものと同じ効果を意図する関連する発明として、次の文献が挙げられる。特開２０１０−１６６８４５号公報（文献３）とか、特開２００９−１７９４２０号公報（文献４）とかがある。この発明は、固定式であって、虫を死滅した後に、補虫する構造と、誘引後に捕獲する構造とかであり、積極的に、ハウス外に向かっての誘引とか、逃避を促す構造でない。
【０００４】
さらに、飛来する虫を、誘引光と複数基のフアンで補虫する発明として、次の文献が挙げられる。特開平１１−２８９９４８号公報（文献５）がある。この発明は、吊下げ式であって、虫を誘引しつつ、誘引光の前後にファンを付設した構造で有り、積極的に、ハウス外に向かっての誘引とか、逃避を促す構造でない。
【０００５】
そして、ハウス内に送風機（循環扇を含む）を複数基配備した空気環境システムとして、次の文献が挙げられる。特開２０００−２３２８２６号公報（文献６）がある。この発明は、送風機（循環扇を含む）を複数基配備した構造であり、虫の捕獲とか、ハウス外に向かっての誘引とか、逃避を促す構造でない。
【０００６】
【特許文献１】特開２００９−１９５２０８号公報
【特許文献２】特開２００７−２２８８９２号公報
【特許文献３】特開２０１０−１６６８４５号公報
【特許文献４】特開２００９−１７９４２０号公報
【特許文献５】特開平１１−２８９９４８号公報
【特許文献６】特開２０００−２３２８２６号公報
【考案の概要】
【考案が解決しようとする課題】
【０００７】
前述した文献１−５における発明は昆虫の捕獲（補虫）のみの構造であって、本考案が意図する、下記の「１」−「３」の構造を備えない。従って、昆虫捕獲には、改良の余地がある。
【０００８】
「１」    昆虫等（昆虫とする）を、循環扇、及び誘引光とで、少なくとも、一基の循環扇に誘引しつつ、複数基の循環扇で生ずる風により順次送る（順風する）とともに、この順風による力強い風の流れを利用し、昆虫のハウス外への排出と、その捕獲とが、確実、かつ短時間に図れることを意図する構造。
【０００９】
「２」    循環扇の少なくとも前側（後側も含む）に、誘引灯等の照明器具を布設し、風の流れに乗る昆虫を、効率的、かつ確実に捕獲する構造。
【００１０】
「３」    換気扇が働き、シャッタを開放し、ハウス内の棟方向への流れを形成し、かつ循環扇で、流れを補完するとともに、誘引した昆虫を、積極的に、ハウス外に向かって誘引し、逃避させることを促す構造。
【課題を解決するための手段】
【００１１】
前述の「１」−「３」に記載した意図を達成するために、請求項１−７を提供する。
【考案の効果】
【００１２】
請求項１の考案は、ハウスの両妻面にシャッタと、シャッタ付き換気扇とを設けるとともに、ハウス内の棟方向に向かって、望ましくは、一直線状に間欠的に複数基配備し、中の少なくとも一基の循環扇に照明器具を取付けるとともに、複数基の他の循環扇により、ハウスの一方側の妻面から、他方側の妻面に流れる順風を形成し、順風で、照明器具で補虫した昆虫を、ハウス外に誘引可能とするハウスの昆虫の誘引兼送出し装置であり、下記の「１」−「４」を達成する。
【００１３】
「１」    昆虫を、循環扇、及び誘引光とで、少なくとも、一基の循環扇に誘引しつつ、複数基の循環扇で生ずる風により順次送る（順風する）とともに、この順風による力強い風の流れを利用し、昆虫のハウス外への排出と、その捕獲とが、確実、かつ短時間に図れる。また、食の安全に寄与できる。
【００１４】
「２」    循環扇の少なくとも前側（後側も含む）に、誘引灯等の照明器具を布設し、風の流れに乗る昆虫を、効率的、かつ確実に捕獲する。
【００１５】
「３」    換気扇が働き、シャッタを開放し、ハウス内の棟方向への流れを形成し、かつ循環扇で、流れを補完するとともに、誘引した昆虫を、積極的に、少なくとも、一基の循環扇に誘引し、その後、ハウス外に向かって順送する。
【００１６】
「４」    本考案では、昆虫の飛来性、照明器具とかにより昆虫を誘引、及び／又は、補虫し、ハウス内の循環扇による空気の流れで、昆虫の、ハウス外への排出と捕獲とが図れる。
【００１７】
請求項２の考案は、他方側の前記妻面が、シャッタ付き換気扇を設けた側の妻面であり、一方側の妻面が、シャッタを設けた側の妻面であるハウスの昆虫の誘引兼送出し装置であり、前記の「１」−「４」と「５」を達成する。
【００１８】
「５」    本考案では、前記の「１」−「４」を達成するのに最適な、換気扇とシャッタとの設置位置を提供できる。
【００１９】
請求項３の考案は、照明器具は、循環扇に設けた環体と、環体に設けた照明とでなるハウスの昆虫の誘引兼送出し装置であり、前記の「１」−「４」と「６」を達成する。
【００２０】
「６」    本考案では、前記の「１」−「４」を達成するのに最適な、照明器具の一例を提供できる。
【００２１】
請求項４の考案では、照明器具は、循環扇に設けた環状の照明でなるハウスの昆虫の誘引兼送出し装置であり、前記の「１」−「４」と「７」を達成する。
【００２２】
「７」    本考案では、前記の「１」−「４」を達成するのに最適な、照明器具の他の一例を提供できる。
【００２３】
請求項５の考案では、照明は、循環扇の風胴の外周か、又は外周の放射方向の外側に設けるハウスの昆虫の誘引兼送出し装置であり、前記の「１」−「４」と「８」を達成する。
【００２４】
「８」    本考案では、前記の「１」−「４」を達成するのに最適な、照明器具の別の一例を提供できる。
【００２５】
請求項６の考案では、循環扇は、筒状の風胴と、風胴内に設けたファンと、ファン用のモータと、整流翼とでなるハウスの昆虫の誘引兼送出し装置であり、前記の「１」−「４」と「９」を達成する。
【００２６】
「９」    本考案では、前記の「１」−「４」を達成するのに最適な、循環扇の構造を提供できる。
【００２７】
請求項７の考案では、循環扇は、ハウスの屋根の合掌部位に、順列するハウスの昆虫の誘引兼送出し装置であり、前記の「１」−「４」と「１０」を達成する。
【００２８】
「１０」    本考案では、前記の「１」−「４」を達成するのに最適な、循環扇の設置位置を提供できる。
【図面の簡単な説明】
【００２９】
【図１】本考案の全体を模式的に示した縮尺俯瞰図
【図２】本考案の照明器具を備えた循環扇の一例の拡大正面図
【図３】図２に示した一例の拡大側面図
【図４】図２に示した一例の拡大斜視図
【図５】本考案の照明器具を備えた換気扇の他の一例の拡大正面図
【図６】図５に示した他の一例の拡大側面図
【図７】図５に示した他の一例の拡大斜視図
【考案を実施するための形態】
【００３０】
本考案で採用する循環扇（送風機）１は、環状の風胴（ケーシング）１００と、この風胴１００の一方１００Ａ端部に設けたファン１０１、必要により設けたファン囲繞用のガード１０２、又は風胴１００の他方１００Ｂ内端部に整流翼（整流板）１０３、或いはハウスＡの適所に、この循環扇１を取付ける風胴１００の外部に設けた取付け具１０４、又は風胴１００内に設けたファン用モータ１０５を、それぞれ備えている。従って、ファン１０１の動きで（回転で）、風が一方側Ａ１から他方側Ａ２に向かって流れる（直線的な風の流れであり、順風Ｃ１を形成する）。整流翼１０３の働きで、直線状に束状となった風が、図１に示したように、略直線状に、かつハウスＡの棟方向に流れる（一方側Ａ１から他方側Ａ２に向かって流れる）。この風は、ハウスＡ内を、電動式のシャッタＢ１から、シャッタＢ２付き換気扇Ｂ３の風（順風Ｃ１）に乗り、流れが保証される。
【００３１】
循環扇１の他方側１Ｂには、照明器具２を設ける。図２〜図４の例では、風胴１００の他方１００Ｂ側に取付手段２００と、風胴１００の外縁に位置する環体２０１（環状等の枠体）とにより誘引用のＬＥＤ、又は電球の照明２０２を設ける。照明２０２は、循環扇１による風の流れ（順風Ｃ１）の外側にある環状の緩やかな風の流れ（誘引風Ｃ２）に配備する。図３において、風胴１００の吹出側の外周面１００ａに近い位置にあり、当該照明２０２は、側面視して、環状の緩やかな風の流れの誘引風Ｃ２の内）に配備する。このように、照明２０２を、誘引風Ｃ２に配備することで、例えば、昆虫への刺激も少なくて、スムースかつ有効的に誘引できる。また、図５〜図７の例では、風胴１００の他方１００Ｂ側に取付手段２００と、取付手段２００に設けた風胴１００の外郭に位置する誘引用の蛍光灯、サークライン（登録商標）、又は電球の照明２０２を設ける。照明２０２は、循環扇１による風の流れ（順風Ｃ１）の外側近傍にある、側面視して、環状の緩やか風の流れ（誘引風Ｃ２）に配備する。この照明２０２を、誘引風Ｃ２に配備することで、例えば、昆虫に刺激を与えることなく、スムースかつ有効的に誘引できる。
【００３２】
以上の照明器具２を、循環扇１に設ける位置は、一例であり、限定されないことと、同様な効果と特徴を有する他の構造、手段は、本発明の範疇である。
【００３３】
昆虫の誘導と補虫、並びにハウスＡ外への排出、及び／又は、補虫袋３での捕獲に関して、一例を説明すると、換気扇Ｂ３を稼動し、かつシャッタＢ１とシャッタＢ２とを開放するとともに、循環扇１を回転する。この動作で、ハウスＡ内には、その一方側Ａ１より他方側Ａ２に向かって、順風Ｃ１が形成される。この状態において、シャッタＢ１、換気扇Ｂ３とかハウスＡには、防虫ネットが設けられており、昆虫の侵入は避けられる。
【００３４】
しかし、ハウス１内には、何処からか昆虫が侵入する。この昆虫を排出し、及び／又は、捕獲するのが、本考案であり、循環扇１に設けた照明器具２に、ハウスＡ内を飛来する昆虫を、誘引する。この際に、ハウスＡ内の順風Ｃ１にいきなり誘引するのでなく、昆虫への刺激も少なくて、スムースかつ有効的に誘引できる誘引風Ｃ２に誘導する。これにより、初期の目的達成と、将来的には、誘引風Ｃ２に誘導した昆虫を、順風Ｃ１に導く着想である。
【００３５】
そして、順風Ｃ１に到った昆虫は、その流れに乗って、この順風Ｃ１のルートから外れることが無く、究極的には、他方側Ａ２に排出されるか、補虫袋３に集められる。この補虫袋３には、主として、益虫、外来虫等が捕獲されると考えられる。従って、従来の如く、薬液の使用頻度の軽減化、経済性の確保等に有益である。
【００３６】
尚、ガード１０２、整流翼１０３等は、昆虫が通過できる隙間がある。その他、図示しないが、循環扇１には、昆虫の衝突を防止する手段とか、スムースな通過を許す手段を付設することも有り得る。
【００３７】
前記補虫袋３は、ハウスＡ内の順風Ｃ１、及び／又は、循環扇１、或いはシャッタＢ１の近傍等に、一袋、又は複数袋設けて、ここに昆虫を捕獲することも可能である。
【００３８】
以上で説明した各実施例は、本考案の好ましい一例を示したものであり、同様な効果と特徴を有する他の構造、手段は、本考案の範疇である。
【符号の説明】
【００３９】
１  循環扇
１００  風胴
１００Ａ  一方
１００Ｂ  他方
１００  外周面
１０１  ファン
１０２  ガード
１０３  整流翼
１０４  取付け具
１０５  モータ
２  照明器具
２００  取付手段
２０１  環体
２０２  照明
３  補虫袋
Ａ  ハウス
Ａ１  一方側
Ａ２  他方側
Ｂ１  シャッタ
Ｂ２  シャッタ
Ｂ３  シャッタ付き換気扇
Ｃ１  順風
Ｃ２  誘引風
【図１】
0003201530.tif 000003
【図２】
0003201530.tif 000004
【図３】
0003201530.tif 000005
【図４】
0003201530.tif 000006
【図５】
0003201530.tif 000007
【図６】
0003201530.tif 000008
【図７】
0003201530.tif 000009